(57)【要約】【課題】収納スペースを確保するためのスキップ床を有効利用して、北側の建物の採光に与える影響を抑制しつつ、建物の南側から効果的に採光や通風を得ることのできる採光収納構造部分を備える建物を提供する。【解決手段】下方の空間に収納庫２１，２２を備え、１階の床部１５ａから０．５層分の高さに設けられたスキップ床１１と、スキップ床１１の上方に設けられた、南側の面に採光窓２３，２４を有する中２階居住部１２及び中３階居住部１３とを含む南側構造部１４と、１階居住部１５及び２階居住部１６を含む北側構造部１７とを隣接させて配置すると共に、これらの構造部１６，１７を、南側外壁２７の上端の軒桁部材２７ａと北側外壁２８の上端の軒桁部材２８ａとに跨って設置されることにより、南側の軒先１９ｃが北側の軒先１９ｂよりも高くなったへの字形状の両勾配屋根１９を含む屋根２０で覆って構成される採光収納構造部分を備える。【選択図】図１
2008133649.tif 000002
【特許請求の範囲】
【請求項１】
下方の空間に収納庫を備え、１階の床部から０．５層分の高さに設けられたスキップ床と、該スキップ床の上方に設けられた、南側の面に採光窓を有する中２階居住部及び中３階居住部とを含む南側構造部と、１階居住部及び２階居住部を含む北側構造部とを隣接させて配置すると共に、これらの構造部を、前記南側構造部の南側外壁の上端の軒桁部材と前記北側構造部の北側外壁の上端の軒桁部材とに跨って設置されることにより、南側の軒先が北側の軒先よりも高くなったへの字形状の両勾配屋根を含む屋根で覆って構成される採光収納構造部分を備える建物。
【請求項２】
前記北側構造部における前記２階居住部の上方の屋根裏部分には、前記南側構造部の前記中３階居住部から出入り可能なロフトが設けられている請求項１に記載の採光収納構造部分を備える建物。
【請求項３】
前記北側構造部の前記２階居住部と前記南側構造部の前記中２階居住部及び／又は前記中３階居住部との間の仕切り壁には通風口が設けられており、前記両勾配屋根の前記北側構造部の２階居住部を覆う部分に通風可能な天窓が設けられている請求項１又は２に記載の採光収納構造部分を備える建物。
【請求項４】
前記ロフトと前記２階居住部との間の仕切り壁に通風口が設けられている請求項２又は３に記載の採光収納構造部分を備える建物。
【請求項５】
前記ロフトに物入れが組み込まれている請求項２〜４のいずれかに記載の採光収納構造部分を備える建物。
【発明の詳細な説明】
【技術分野】
【０００１】
本発明は、日当たりが良好で、通風性に優れ、収納スペースを十分に確保することのできる採光収納構造部分を備える建物に関する。
【背景技術】
【０００２】
近年、生活に使用する日用品や家具類等の物品の種類も多種多様となってきており、例えば季節に応じてこれらの物品を交換しながら使用する機会も多いことから、建物の内部の空間を利用して、大きな収納スペースを有する収納庫を確保することが要望されており、例えば、１階の床部から０．５層分の高さに中間床としてスキップ床を設置し、このスキップ床の上方に中２階の居住部を設けると共に、スキップ床の下方を収納庫とした住宅が種々提案されている（例えば、特許文献１、特許文献２参照）。
【特許文献１】特開２００５−３５０８８０号公報
【特許文献２】特開２００６−９３０４号公報
【発明の開示】
【発明が解決しようとする課題】
【０００３】
一方、特に狭小な敷地に住宅建築物等の建物を建てる場合、建物の南側に隣家が接近していると、日当たりが悪くなって太陽からの自然光を採光し難くなる。また建物の北側に隣家が接近していると、当該北側における隣家の採光に影響を及ぼし易くなる。
【０００４】
また、特に狭小な敷地に住宅建築物等の建物を建てる場合、隣家によって風が遮られ易くなるため、建物の内部に通気経路が容易に形成されるようにして、スムーズな通風が行われるようにすることが望ましい。
【０００５】
本発明は、このような従来の課題に着目してなされたものであり、十分な収納スペースを確保するために設けられるスキップ床を有効利用して、狭小な敷地に建てられた場合でも、北側に隣接する建物の採光に与える影響を抑制しつつ、建物の南側から効果的に採光や通風を得ることのできる採光収納構造部分を備える建物を提供することを目的とする。
【課題を解決するための手段】
【０００６】
本発明は、下方の空間に収納庫を備え、１階の床部から０．５層分の高さに設けられたスキップ床と、該スキップ床の上方に設けられた、南側の面に採光窓を有する中２階居住部及び中３階居住部とを含む南側構造部と、１階居住部及び２階居住部を含む北側構造部とを隣接させて配置すると共に、、これらの構造部を、前記南側構造部の南側外壁の上端の軒桁部材と前記北側構造部の北側外壁の上端の軒桁部材とに跨って設置されることにより、南側の軒先が北側の軒先よりも高くなったへの字形状の両勾配屋根を含む屋根で覆って構成される採光収納構造部分を備える建物を提供することにより、上記目的を達成したものである。
【０００７】
ここで、上記記載における０．５階層分の高さは、一般に２３０〜４００ｃｍ程度の高さを有する１階層分の高さの中間部分に位置する高さを略称するものであり、１階層分の高さの１／２の高さの他、１階層分の高さの４０〜７５％程度の高さを含むものである。また、上記記載における南側構造部の南側外壁の上端の軒桁部材や北側構造部の北側外壁の上端の軒桁部材は、これらの外壁の頂部にあって勾配屋根の垂木等を支持する部材を総称するものであり、例えば軒桁の他、頭つなぎや、パネル上枠等を含むものである。さらに、上記記載における南側又は北側は、南方又北方に正確に配置される状態の他、採光を意識して概ね南側又は北側に配置されている状態を含むものである。
【０００８】
そして、本発明の採光収納構造部分を備える建物は、前記北側構造部における前記２階居住部の上方の屋根裏部分に、前記南側構造部の前記中３階居住部から出入り可能なロフトが設けられていることが好ましい。
【０００９】
また、本発明の採光収納構造部を備える建物は、前記北側構造部の前記２階居住部と前記南側構造部の前記中２階居住部及び／又は前記中３階居住部との間の仕切り壁に通風口が設けられており、前記両勾配屋根の前記北側構造部の２階居住部を覆う部分に通風可能な天窓が設けられていることが好ましい。
【００１０】
さらに、本発明の採光収納構造部分を備える建物は、前記ロフトと前記２階居住部との間の仕切り壁に通風口が設けられていることが好ましい。
【００１１】
さらにまた、本発明の採光収納構造部を備える建物は、前記ロフトに物入れが組み込まれていることが好ましい。
【００１２】
そして、本発明の採光収納構造部分を備える建物によれば、採光収納構造部分は、下方の空間に収納庫を備える０．５層分の高さのスキップ床の上方に中２階居住部及び中３階居住部を設けた南側構造部と、１階居住部及び２階居住部を含む北側構造部とを隣接させて配置すると共に、これらの構造体を、南側外壁の上端の軒桁部材と北側外壁の上端の軒桁部材とに跨って設置されることにより、南側の軒先が北側の軒先よりも高くなったへの字形状の両勾配屋根を含む屋根で覆って構成されるので、スキップ床の下方に十分な広さの収納スペースを確保することが可能になると共に、０．５層分高くなった南側構造部の中２階居住部及び中３階居住部の採光窓から、南側の隣家によって遮られるのを回避しつつ、太陽からの自然光や通風を効果的に屋内に取り込むことが可能になる。また、南側構造部及び北側構造部を覆う屋根の両勾配屋根は、への字形状を有しており、南側外壁の上端の軒桁部材と北側外壁の上端の軒桁部材とに跨って設置されることにより、両勾配屋根の北側勾配部分は、屋根の頂部から、南側外壁の軒桁部材よりも低い高さの北側外壁の軒桁部材に向けて斜めに連続して設けられるので、両勾配屋根の北側の軒先を低い高さに留めて、北側に隣接する建物の採光に与える影響を効果的に抑制することが可能になる。
【００１３】
また、本発明の採光収納構造部分を備える建物では、北側構造部における２階居住部の上方の屋根裏部分には、南側構造部の中３階居住部から出入り可能なロフトを設ければ、両勾配屋根の頂部付近の下方の空間を有効利用して、出入りが容易で使い勝手の良いロフトを形成することが可能になる。
【００１４】
さらに、本発明の採光収納構造部分を備える建物では、北側構造部の２階居住部と南側構造部の中２階居住部及び／又は中３階居住部との間の仕切り壁に通風口を設け、両勾配屋根の北側構造部の２階居住部を覆う部分に通風可能な天窓を設ければ、中２階居住部及び／又は中３階居住部の採光窓から、北側構造部の２階居住部との間の仕切り壁に設けた通風口を介して、２階居住部を覆う部分の勾配屋根に設けた天窓から外気に抜ける通気経路が容易に形成されるので、この通気経路によって、よりスムーズな通風が行われるようにすることが可能になる。
【００１５】
さらにまた、本発明の採光収納構造部分を備える建物では、北側構造部の２階居住部の上方の屋根裏部分に設けたロフトと２階居住部との間の仕切り壁に通風口を設けておけば、南側構造部の中３階居住部の採光窓から、ロフトと２階居住部との間の仕切り壁に設けた通風口を介して、２階居住部を覆う部分の勾配屋根に設けた天窓から外気に抜ける通気経路が容易に形成されるので、この通気経路によって、さらにスムーズな通風が行われるようにすること可能になる。
【００１６】
また、本発明の採光収納構造部分を備える建物では、北側構造部の２階居住部の上方の屋根裏部分に設けたロフトに物入れを組み込んでおけば、当該ロフトを収納スペースとしても有効利用することが可能になる。
【発明の効果】
【００１７】
本発明の採光収納構造部分を備える建物によれば、十分な収納スペースを確保するために設けられるスキップ床を有効利用して、狭小な敷地に建てられた場合でも、北側に隣接する建物の採光に与える影響を抑制しつつ、建物の南側から効果的に採光や通風を得ることができる。
【発明を実施するための最良の形態】
【００１８】
本発明の好ましい一実施形態に係る採光収納構造部分を備える建物１０は、図１に示すように、０．５層分の高さに設けられたスキップ床１１と、スキップ床１１の上方に設けられた中２階居住部１２及び中３階居住部１３とを含む南側構造部１４と、１階居住部１５及び２階居住部１６を含む北側構造部１７とを、仕切り壁１８を挟んで隣接して配置すると共に、南北方向に沿った断面がへの字形状となった両勾配屋根１９を備える屋根２０で覆って、一体として構築した住宅建築物であって、スキップ床１１の下方の空間を収納庫２１，２２として大きな収納スペースを確保すると共に、南側に面した採光窓２３，２４を高い位置に設けて採光や通風を行い易くし、且つ両勾配屋根１９の北側勾配部１９ａの軒先１９ｂを低い高さに留めて、北側に隣接する建物の採光に与える影響を抑制できるようにしたものである。
【００１９】
すなわち、本実施形態の建物１０は、スキップ床１１を有効利用して、建物１０の南側から効果的に採光や通風を得ることのできる採光収納構造部分を備えており、この採光収納構造部分は、下方の空間に収納庫２１，２２を備え、１階の床部１５ａから０．５層分の高さに設けられたスキップ床１１と、このスキップ床１１の上方に設けられた、南側の面に採光窓２３，２４を有する中２階居住部１２及び中３階居住部１３とを含む南側構造部１４と、１階居住部１５及び２階居住部１６を含む北側構造部１７とを隣接させて配置すると共に、これらの構造部１４，１７を、南側構造部１４の南側外壁２７の上端の軒桁部材２７ａと北側構造部１７の北側外壁２８の上端の軒桁部材２８ａとに跨って設置されることにより、南側の軒先１９ｃが北側の軒先１９ｂよりも高くなったへの字形状の両勾配屋根１９を含む屋根２０で覆って構成されている。
【００２０】
また、本実施形態では、北側構造部１７における２階居住部１６の上方の屋根裏部分には、南側構造部１４の中３階居住部１３から出入り可能なロフト２６，２９が設けられている。
【００２１】
さらに、本実施形態では、北側構造部１７の２階居住部１６と南側構造部１４の中２階居住部１２及び／又は中３階居住部１３との間の仕切り壁１８には、通風口３０ａ，３０ｂが設けられており、両勾配屋根１９の北側構造部１７の２階居住部１６を覆う部分に通風可能な天窓３１が設けられている。
【００２２】
本実施形態の建物１０の１階部分には、図２に示すように、東側略中央部分に、屋外の玄関ポーチ３２から出入りする玄関３３が設けられており、玄関３３の西側には玄関ホール３４が設けられている。玄関３３及び玄関ホール３４の北側には第１洋室３５が、建物１０の北東の角部分に位置して設けられており、第１洋室３５の西側には、建物１０の北西の角部分に位置して浴室３６及び洗面室３７が、玄関ホール３４から出入り可能に設けられている。洗面室３７の南側には、建物１０の西側の外壁に沿って、物置３８及び１階トイレ３９が設けられている。玄関３３、玄関ホール３４、及び１階トイレ３９の南側は、南側構造部１４となっており、この南側構造部１４には、１階の床部１５ａから０．５層分の高さに設けられたスキップ床１１の下方の空間に、第１収納庫２１と第２収納庫２２とが、収納庫仕切り壁４０によって東西に仕切られて、玄関ホール３４から各々出入り可能に設けられている。そして、玄関ホール３４の中央部分には、スキップ床１１の上方の中２階居住部１２に昇降するための第１階段４１が設けられている。
【００２３】
建物１０の１階部分から第１階段４１を介して昇降する中２階居住部１２は、図３に示すようにその略全域がリビング４２となっている。リビング４２を囲う南側外壁２７には、比較的大きな開口面積の開閉可能な採光窓２３が２箇所に設けられており、これらの採光窓２３を介して、リビング４２に太陽からの自然光や通風を取り込むことができるようになっている。リビング４２を囲う東側外壁４３や西側外壁４４にもまた、採光窓４５が設けられており、これらの採光窓４５からも、太陽からの自然光や通風を取り込むことができるようになっている。
【００２４】
また、本実施形態では、中２階居住部１２のリビング４２と、北側構造部１７の２階居住部１６の畳コーナー４６とを仕切る仕切り壁１８の第１階段４１側の部分における、２階居住部１６の床部１６ａよりも上方の部分には、第１格子壁４７が組み込まれており、この第１格子壁４７の多数の格子間の隙間を通風口３０ａとして、中２階居住部１２から２階居住部１６に向かう通気経路を形成することができるようになっている。なお、このような第１格子壁４７による通風口３０ａは、例えば畳コーナー４６側に設けた障子やふすま等によって、容易に開閉することができるようになっている。さらに、リビング４２の北西の角部分には、北側構造部１７に食い込ませるようにして、押入れ４８が設けられると共に、押入れ４８の東側には、第１階段４１との間の配置されて、北側構造部１７の２階居住部１６に昇降するための第２階段４９が設けられている。
【００２５】
中２階居住部１２から第２階段４９を介して昇降する２階居住部１６では、第２階段４９が接続する２階踊り場部５０の西側に２階トイレ５１が設けられており、２階踊り場部５０の北側には、第２洋室５２が、建物１０の北西の角部分に配置されて２階踊り場部５０から出入り可能に設けられている。２階踊り場部５０の東側には、建物１０の北東の角部分に配置されてキッチン５３及びダイニング５４が２階踊り場部５０から出入り可能に設けられると共に、ダイニング５４の南側には、キッチン５３及びダイニング５４と一体となった空間の内部に畳コーナー４６が設けられている。また畳コーナー４６の西側には、第２階段４９との間の配置されて、南側構造部１４の中３階居住部１３に昇降するための第３階段５５が設けられている。
【００２６】
北側構造部１７の２階居住部１６から第３階段５５を介して昇降する中３階居住部１３では、図４に示すように、第３階段５５が接続する中３階踊り場部５６の南側に、東西に隣接する第３洋室５７及び第４洋室５８が、仕切り壁５９によって区画されて設けられている。また、第４洋室５８の北西の角部には、中３階踊り場部５６の西側の端部に配置されて、クローゼット６０が設けられている。第３洋室５７及び第４洋室５８を囲う南側外壁２７には、比較的大きな開口面積の開閉可能な採光窓６１が各洋室５７，５８に１箇所ずつ設けられており、これらの採光窓６１を介して、各洋室５７，５８に太陽からの自然光や通風を取り込むことができるようになっている。第３洋室５７を囲う東側外壁４３や第４洋室を囲う西側外壁４４にもまた、採光窓６２が設けられており、これらの採光窓６２からも、太陽からの自然光や通風を取り込むことができるようになっている。さらに、第３洋室５７及び第４洋室５８の南側には、これらの洋室５７，５８から出入り可能なバルコニー６３が設けられている。
【００２７】
そして、本実施形態では、中３階居住部１３と仕切り壁１８を挟んで隣接する北側構造部１７には、２階居住部１６の上方の屋根裏部分に配置されて、中３階居住部１３の床部１３ａから０．５層分高くなった床部２６ａ，２９ａを有するロフト２６，２９が、中３階居住部１３から出入り可能に設けられている。すなわち、第３階段５５を挟んだ東側の第１ロフト２６は、第３洋室５７から出入り可能に設けられており、またこの第１ロフト２６には、第３洋室５７において使用するクローゼット６４が、物入れとして組み込まれて設けられている。第３階段５５を挟んだ西側の第２ロフト２９は、中３階踊り場部５６からから出入り可能に設けられている。さらに、中３階居住部１３の天井部には、ロフト２６，２９に面した部分に、屋根裏側に切り欠いて段差部１３ｂが設けられており（図１参照）、この段差部１３ｂによって、ロフト２６，２９への出入りがよりスムーズに行えるようになっている。
【００２８】
また、本実施形態では、中３階居住部１３と北側構造部１７の２階居住部１６とを仕切る仕切り壁１８の第３階段５５の東側に隣接する部分における、第１ロフト２６の床部２９ａよりも下方の部分には、上記中２階居住部１２と畳コーナー４６との間に設けられた第１格子壁４７が上方に延設して、当該第１格子壁４７が組み込まれており（図１参照）、この第１格子壁４７の多数の格子間の隙間を通風口３０ｂとして、中３階居住部１２から２階居住部１６に向かう通気経路を形成することができるようになっている。
【００２９】
さらに、本実施形態では、ロフト２６，２９の北側には、これらを２階居住部１６から仕切るロフト仕切り壁６５が設けられており、このロフト仕切り壁６５の第１ロフト２６側の部分には、第２格子壁６６が組み込まれている。第２格子壁６６の多数の格子間の隙間を通風口６７として、中３階居住部１２から第１ロフト２６を経て２階居住部１６に向かう通気経路を形成することができるようになっている。なお、ロフト仕切り壁６５或いは第２格子壁６６は、例えば２階居住部１６側に傾斜させて設けることが好ましい（図１参照）。ロフト仕切り壁６５或いは第２格子壁６６を傾斜させて設けることにより、ロフト仕切り壁６５に近接して第１ロフト２６の内部に収容物６８を収容した場合でも、収容物６８の背面側に通気のための隙間を保持して、第１ロフト２６を介したスムーズな通気が行われるようにすることが可能になる。
【００３０】
さらにまた、本実施形態では、第３階段５５とロフト２６，２９とを仕切る階段仕切り壁６９の北側端部に、第３格子壁７０が組み込まれており、第３階段５５の北側端部の直上部分に、補助天窓７１が設けられている（図１参照）。この補助天窓７１から、第３階段５５に、或いは第２格子壁７０を介してロフト２６，２９に、太陽からの自然光を取り込むことができるようになっていると共に、第２格子壁７０の多数の格子間の隙間を通風口として、中３階居住部１２から第１ロフト２６や第２ロフト２９を経て補助天窓７１に向かう通気経路を形成することができるようになっている。
【００３１】
また、本実施形態では、南側構造部１４と北側構造部１７とを一体として覆う屋根２０は、図５に示すように、頂部２０ａから北側に傾斜する北側勾配部１９ａと南側に傾斜する南側勾配部１９ｄとからなる、南側の軒先１９ｃが北側の軒先１９ｂよりも高くなった（図１参照）への字形状の両勾配屋根１９の南西部分に、西側に傾斜する西側勾配屋根７２を複合させた形状を備えており、北側勾配部１９ａには、天窓３１と補助天窓７１が開閉可能に設けられている。
【００３２】
そして、上述の構成を備える本実施形態の採光収納構造部分を備える建物１０によれば、十分な収納スペースを確保するために設けられるスキップ床１１を有効利用して、狭小な敷地に建てられた場合でも、北側に隣接する建物の採光に与える影響を抑制しつつ、建物１０の南側から効果的に採光や通風を得ることが可能になる。
【００３３】
すなわち、本実施形態の採光収納構造部分を備える建物１０によれば、採光収納構造部分は、下方の空間に収納庫２１，２２を備える０．５層分の高さのスキップ床１１の上方に中２階居住部１２及び中３階居住部１３を設けた南側構造部１４と、１階居住部１５及び２階居住部１６を含む北側構造部１７とを隣接させて配置すると共に、これらの構造体１４，１７を、南側外壁２７の上端の軒桁部材２７ａと北側外壁２８の上端の軒桁部材２８ａとに跨って設置されることにより、南側の軒先１９ｃが北側の軒先１９ｂよりも高くなったへの字形状の両勾配屋根１９を含む屋根２０で覆って構成されるので、スキップ床１１の下方に十分な広さの収納スペースを確保することが可能になると共に、０．５層分高くなった南側構造部１４の中２階居住部１２及び中３階居住部１３の採光窓２３，２４から、南側の隣家によって遮られるのを回避しつつ、太陽からの自然光や通風を効果的に屋内に取り込むことが可能になる。
【００３４】
また、南側構造部１４及び北側構造部１７を覆う屋根２０の両勾配屋根１９は、への字形状を有しており、南側外壁２７の上端の軒桁部材２７ａと北側外壁２８の上端の軒桁部材２８ａとに跨って設置されることにより、両勾配屋根１９の北側勾配部分１９ａは、屋根２０の頂部２０ａから、南側外壁２７の軒桁部材２７ａよりも低い高さの北側外壁２８の軒桁部材２８ａに向けて斜めに連続して設けられるので、両勾配屋根１９の北側の軒先１９ａを低い高さに留めて、北側に隣接する建物の採光に与える影響を効果的に抑制することが可能になる。
【００３５】
そして、本実施形態の採光収納構造部分を備える建物１０では、北側構造部１７における２階居住部１６の上方の屋根裏部分には、南側構造部１４の中３階居住部１３から出入り可能なロフト２６，２９が設けられているので、両勾配屋根１９の頂部２０ａ付近の下方の空間を有効利用して、出入りが容易で使い勝手の良いロフト２６，２９を形成することが可能になる。
【００３６】
また、本発明の採光収納構造部分を備える建物では、北側構造部１７の２階居住部１６と南側構造部１４の中２階居住部１２及び中３階居住部１３との間の仕切り壁１８に、通風口３０ａ，３０ｂが設けられており、両勾配屋根１９の北側構造部１７の２階居住部１６を覆う部分に通風可能な天窓３１が設けられているので、中２階居住部１２及び中３階居住部１３の採光窓２３，２４から、北側構造部１７の２階居住部１６との間の仕切り壁１８に設けた通風口３０ａ，３０ｂを介して、２階居住部１２を覆う部分の勾配屋根１９に設けた天窓３１から外気に抜ける通気経路が容易に形成されるので、この通気経路によって、よりスムーズな通風が行われるようにすることが可能になる。
【００３７】
さらに、本発明の採光収納構造部分を備える建物では、北側構造部１７の２階居住部１６の上方の屋根裏部分に設けた第１ロフト２６と２階居住部１６との間のロフト仕切り壁６５に、通風口６７が設られているので、南側構造部１４の中３階居住部１３の採光窓２４から、第１ロフト２６と２階居住部１６との間のロフト仕切り壁６５に設けた通風口６７を介して、２階居住部１６を覆う部分の勾配屋根１９に設けた天窓３１から外気に抜ける通気経路が容易に形成されるので、この通気経路によって、さらにスムーズな通風が行われるようにすること可能になる。
【００３８】
さらにまた、本発明の採光収納構造部分を備える建物では、北側構造部１７の２階居住部１６の上方の屋根裏部分に設けた第１ロフト２６にクローゼット６４が物入れとして組み込まれているので、当該第１ロフト２６を収納スペースとしても有効利用することが可能になる。
【００３９】
なお、本発明は上記実施形態に限定されることなく種々の変更が可能である。例えば、北側構造部における２階居住部の上方の屋根裏部分にロフトを設ける必要は必ずしもなく、ロフトに代えて、収納庫等を設けることもできる。また、本発明は、スキップ床の０．５層分の床高さの基準となる１階の床部を、２階又３階以上の床部に置き換えて、例えば３階建て以上の建物に適用することもできる。さらに、本発明の建物の構造躯体の材料や構法は、特定のものに制限されず、例えば木造、鉄骨造、或いはＲＣ造の建物であっても良く、ユニット構法、２×４構法、ラーメン構法、パネル構法、壁式構法等、本発明を実施可能な種々の材料や構法の建物に本発明を適用することができる。
【図面の簡単な説明】
【００４０】
【図１】本発明の好ましい一実施形態に係る採光収納構造部分を備える建物の構成を説明する、南北方向に沿った略示断面図である。
【図２】本発明の好ましい一実施形態に係る採光収納構造部分を備える建物の構成を説明する、１階部分の間取り図である。
【図３】本発明の好ましい一実施形態に係る採光収納構造部分を備える建物の構成を説明する、中２階部分及び２階部分の間取り図である。
【図４】本発明の好ましい一実施形態に係る採光収納構造部分を備える建物の構成を説明する、中３階部分の間取り図である。
【図５】本発明の好ましい一実施形態に係る採光収納構造部分を備える建物の上面図である。
【符号の説明】
【００４１】
１０  採光収納構造部分を備える建物
１１  スキップ床
１２  中２階居住部
１３  中３階居住部
１４  南側構造部
１５  １階居住部
１６  ２階居住部
１７  北側構造部
１８  仕切り壁
１９  両勾配屋根
１９ｂ  両勾配屋根の北側の軒先
１９ｃ  両勾配屋根の南側の軒先
２０  屋根
２１，２２  収納庫
２３，２４  採光窓
２７  南側外壁
２７ａ  南側外壁の上端の軒桁部材
２８  北側外壁
２８ａ  北側外壁の上端の軒桁部材
２６，２９  ロフト
３０ａ，３０ｂ  通風口
３１  天窓
６４  クローゼット（物入れ）
６５  ロフト仕切り壁
６７  通風口
７１  補助天窓
【図１】
2008133649.tif 000003
【図２】
2008133649.tif 000004
【図３】
2008133649.tif 000005
【図４】
2008133649.tif 000006
【図５】
2008133649.tif 000007